(57)【特許請求の範囲】
【請求項１】
コネクタで終わり最小曲げ半径を有するオプティカルファイバのためクロス接続機能を提供するためのオプティカルファイバコネクタハウジングであって、
（ａ）略水平に且つ互いに間隔を隔てた上側プレート部材および下側プレート部材を備え、該プレート部材が、前縁部および後縁部を各々有し、支持フレームに取付けるようになっており、下側プレート部材の前縁部が、上側プレート部材の前縁部よりも更に前方に延びており、
（ｂ）上側プレート部材の前縁部から略垂直方向下方に垂下し、下側プレート部材の前縁部に対して後方に配置された取付け線に沿って、下側プレート部材に連結されたコネクタパネルを備え、これにより下側プレート部材のシェルフ部分と後部分を構成し、下側プレート部材の前記シェルフ部分が、下側プレート部材の前縁部と取付け線との間にあり、下側プレート部分の前記後部分が、取付け線と下側プレート部材の後縁部との間にあり、コネクタパネルが、前面および後面を有し、複数のオプティカルファイバアダプタを取付けるようになっており、各オプティカルファイバアダプタが、前側および後側を有し、一対のオプティカルファイバを光学的に整列した状態で受け入れ取付けるようになっており、オプティカルファイバが、アダプタの両側から通され、コネクタで各々終わっており、
（ｃ）頂縁部、底縁部、および側縁部を有するドアを備え、該ドアが、底縁部のところで下側プレート部材の前縁部にヒンジ止めされ、これにより開放位置と閉鎖位置との間で移動でき、閉鎖位置では、ドアが、略垂直に配向され、コネクタパネルから間隔を隔てコネクタパネルと平行であり、これにより前部領域、少なくとも１つの側部孔、および少なくとも１つの頂部孔を構成し、前部領域が、ドア、コネクタパネルの前面、および下側プレート部材のシェルフ部分によって境界付けられ、前記側部孔が、ドアの側縁部とコネクタパネルの前面との間にあり、前記頂部孔が、ドアの頂縁部とコネクタパネルの前面との間にあり、開放位置では、ドアが、垂直に配向されておらず、コネクタパネルと垂直方向に整合し、これにより前部領域への非制限接近を可能にし、
（ｄ）閉鎖位置においてドアを解放可能に固定するための手段を備え、これにより、ドアが閉鎖位置にあるとき、コネクタで各々終結している複数のオプティカルファイバが、コネクタパネルのアダプタの前側に接続され、複数のファイバの第１の部分を少なくとも１つの側部孔を介して通し、複数のファイバの第２の部分を少なくとも１つの頂部孔を介して通すことによって、前部領域から外部に通され、これにより各方向において通されるオプティカルファイバの密度を減少させ、ドアが、コネクタと前部領域のオプティカルファイバを損傷しないように保護し、オプティカルファイバの最小所要曲げ半径を維持することを特徴とするオプティカルファイバコネクタハウジング。
【請求項２】
ドアを固定するための前記手段が、コネクタパネルから延び、ドアに取付けられたラッチ機構と解放可能に嵌合するブラケットを備えていることを特徴とする請求項１に記載のオプティカルファイバコネクタハウジング。
【請求項３】
下側プレート部材のシェルフ部分に取付けられ、側部孔を介して前記アダプタから通されたオプティカルファイバを解放可能に固定するための管理ブラケットを更に備えていることを特徴とする請求項１に記載のオプティカルファイバコネクタハウジング。
【請求項４】
上側プレート部材、下側プレート部材の前記後部分、側部プレート部材、およびコネクタパネルの前記後面によって境界付けられた後部領域を構成するため、上側プレート部材と下側プレート部材の前記後部分との間に連結された側部プレート部材を更に備えていることを特徴とする請求項１に記載のオプティカルファイバコネクタハウジング。
【請求項５】
後部領域を囲むため、ハウジングの後部分に連結された後部プレート部材を更に備えていることを特徴とする請求項４に記載のオプティカルファイバコネクタハウジング。
【発明の詳細な説明】
【０００１】
【発明の属する技術分野】
本発明は、オプティカルファイバをクロス接続および相互接続するのに使用されるオプティカルファイバコネクタハウジングに関する。
【０００２】
【発明が解決しようとする課題】
オプティカルファイバは、銅線と比較して、電気通信信号や他のデータを伝送するのに、益々好まれている。一旦特定の高密度の用途に使用されると、オプティカルファイバのネットワーク網は、大学のキャンパスやビジネス現場のような一群の近くの建物の間で信号伝送を行う、いわゆる“プレミス・マーケット（premises market ）”において、或いは電話システム、コンピュータネットワーク、および他のこのようなオフィスシステムの建物内での接続においてさえ、益々利用される。
従来の銅線と比較して、“ケーブル管理”として知られるオプティカルファイバの物理的ルーチングは、主としてオプティカルファイバが過度に鋭く曲げられたときに生ずる信号損失、破砕、又は破損のため、オプティカルファイバ設備を設計する際の重要な関心事である。各ファイバは、信号損失や他のファイバの損傷のおそれなしに限度を超過しない“最小曲げ半径”を有している。さらに、過剰な引張りや外部源からの物理的衝撃を受けた場合には、ファイバが損傷することがある。
【０００３】
分配フレーム又は“パッチパネル”としても知られるオプティカルファイバコネクタ装置は、多数のオプティカルファイバの相互接続又はクロス接続が必要とされる箇所、たとえば多数の独立したファイバを有するオプティカルファイバケーブルが建物のコンピュータネットワークに入る箇所で使用される。多くの建物では空間が制限されるため、接続装置は、出来るだけ小さな空間で多数の独立したファイバの相互接続を可能にすることが望ましく、かくして高“密度”の接続が必要とされる。技術者が接続装置および関連したオプティカルファイバを据え付ける作業を出来るだけ簡単にすることも望ましい。多くのパッチパネルは、ファイバオプティックアダプタの開放した平らな列であり、その各々が、特別に作られたコネクタターミナル（単にコネクタとも呼ばれる）をアダプタの両端部に繋ぐことによって、２つのオプティカルファイバの相互接続を可能にする。次いで、ファイバを、パネルの頂部、底部、および側部を通し（通常は、“レース路”に入れ）、かくして、個々のファイバのルーチングとトレーシングが技術者にとって難しすぎることなしに、多数のコネクタを小さなパッチパネルへの嵌合を可能にする。しかしながら、接続装置は、過剰な曲げ、過剰な引張り、又は（梯子をもって設備を横切り、保護されていないファイバやコネクタを押しつぶしたり切ったりするような）外部環境からの物理的損傷による損害を受けないように、ファイバとコネクタを保護することも必要である。保護シュラウドやドアを使用して上述の課題を取り扱おうとした多くのオプティカルファイバのクロス接続ユニットが、知られている。これらの従来技術の例が、米国特許第５，１２９，０３０号、同第４，７０８，４３０号、および同第４，６３０，８８６号に記載されている。これらの装置は、或る程度の保護をコネクタとファイバに提供するが、ファイバは典型的には、ユニットの頂部と底部を介してのみ、或いはユニットの側部のスロットを介してのみ通される。したがって、コネクタとファイバの保護を得るため、密度が犠牲にされている。
【０００４】
従来技術が示すように、高接続密度を達成し、据え付けや保守管理活動のために接続パネルの前への接近を可能にし、過剰な曲げ、過剰な引張り、外部源からの機械的損傷からファイバとコネクタを保護し、個々のオプティカルファイバの“トレーシング”とケーブル列からの取り外し又は付加を容易にするように接続パネルの前からのケーブルのルーチングを可能にするような、オプティカルファイバ相互接続装置に関する多くの要請に取り組むのが問題となっている。したがって、高接続密度を提供し、接続パネルの前への接近を可能にし、過剰な曲げ、応力、外部損傷からファイバとコネクタを保護し、接続パネルの前からのケーブルのルーチングを可能にする、オプティカルファイバコネクタハウジングに対する要請がある。
【０００５】
【課題を解決するための手段】
本発明の或る観点によれば、コネクタの列を保持するための少なくとも１つのコネクタパネル部分を有するハウジングを備えたコネクタハウジングが提供される。コネクタパネル部分は、略矩形である。ドアが、ハウジングに取付けられ、コネクタパネル部分から間隔を隔てられ、コネクタパネル部分と平行である。ドアは、ドアとコネクタパネル部分との間でコネクタパネル部分に接続されているケーブルをコネクタパネル部分の少なくとも３辺から遠去かる方へ通すように、コネクタパネル部分の少なくとも３辺に実質的に沿って、ハウジングから間隔を隔てられている。それ故に、本発明は、ファイバの保護と、ケーブルをコネクタパネルの３辺から通す融通性の両方を提供する。
【０００６】
本発明の別の観点によれば、コネクタで終り最小曲げ半径を有するオプティカルファイバのクロス接続を容易にするためのオプティカルファイバコネクタハウジングが提供される。ハウジングは、上側プレート部材と、下側プレート部材と、コネクタパネルと、ドアと、閉鎖位置においてドアを解放可能に固定するための手段とを有する。上側プレート部材と下側プレート部材は、略水平であり、互いに間隔を隔てており、下側プレート部材の前縁部が、上側プレート部材の前縁部よりも更に前方に延びている。コネクタパネルは、上側プレート部材の前縁部から略垂直方向下方に垂下し、下側プレート部材の前縁部に対して後方に配置された取付け線に沿って、下側プレート部材に接続されており、これにより下側プレート部材のシェルフ部分を構成している。コネクタパネルは、前面および後面を有し、複数のオプティカルファイバアダプタを取付けるようになっており、各オプティカルファイバアダプタが、前側および後側を有し、一対のオプティカルファイバを光学的に整列した状態で受け入れ取付けるようになっており、オプティカルファイバが、アダプタの両側から通され、コネクタで各々終わっている。ドアは、底縁部のところで下側プレート部材の前縁部にヒンジ止めされ、これにより開放位置と閉鎖位置との間で移動できる。閉鎖位置では、ドアは、略垂直に配向され、コネクタパネルから間隔を隔てコネクタパネルと平行であり、これにより前方ケーブル領域、少なくとも１つの側部孔、および少なくとも１つの頂部孔を構成する。ドアが閉鎖位置にあるとき、コネクタパネルの前側に接続された複数のオプティカルファイバは、複数のファイバの第１の部分を少なくとも１つの側部孔を介して通し、複数のファイバの第２の部分を少なくとも１つの頂部孔を介して通すことによって、前方ケーブル領域から外部に通され、これにより各方向において通されるケーブルの密度を減少させ、ドアが、コネクタと前方ケーブル領域のオプティカルファイバを損傷しないように保護し、オプティカルファイバの最小所要曲げ半径を維持する。
【０００７】
本発明の別の観点によれば、ドアは、開放位置にあるとき、下側プレート部材から選択的に取り外し可能であり、これにより前方ケーブル領域への非制限接近を可能にする。
本発明の更に別の観点によれば、ドアは、ドアが閉鎖位置にあるとき、前方ケーブル領域においてオプティカルファイバケーブル、コネクタ、およびアダプタの視覚的な検査を可能にする透明材料を備えている。
本発明の更に別の観点によれば、ドアを固定するための手段は、コネクタパネルから延び、ドアに取付けられたラッチ機構に解放可能に相互嵌合するブラケットを備えている。
本発明の更に別の観点によれば、上側プレート部材と下側プレート部材の後部分との間に連結された側部プレートが提供され、これにより後部ケーブル領域を構成する。後部ケーブル領域は、上側プレート部材、下側プレート部材の後部分、側部プレート部材、およびコネクタプレートの後面によって境界付けられている。後部ケーブル領域を完全に囲むように、ハウジングの後部分に連結される後部プレート部材が提供される。
【０００８】
【発明の実施の形態】
次に、全体を通じて同じ参照符号が同じ又は対応する部分を表している図面を参照すると、本発明の１つの実施の形態をなすオプティカルファイバコネクタハウジングが示されている。まず図１を参照すると、本発明のオプティカルファイバコネクタハウジングを備えたファイバオプティック分配センタ２０の正面図が示されている。典型的な分配センタ２０は、「ベイ」とも呼ばれる、１以上の垂直設備スタック２２を備えており、垂直設備スタック２２は各々、垂直フレーム部材２４によって支持されている幾つかの構成要素を有している。フレーム部材２４を壁に取付けてもよく、フロアに自立させてもよい。図１に示される分配設備は、２つの設備ベイ２２を備えているが、使用されるベイの数が、分配設備に必要とされる接続部の数で決まることは容易に分かるであろう。図１に示されるように、多数の隣接するベイが使用されるとき、ケーブルの管理を更に助けるため、ベイ２２間にインターベイ保管ユニット２５を配置してもよい。
【０００９】
依然として図１を参照すると、各設備ベイ２２は典型的には、少なくとも１つのオプティカルファイバコネクタハウジング２６と、各コネクタハウジング２６の上方に隣接して位置決めされた少なくとも１つの水平なレース路２８とを有している。図１に示される分配設備では、各設備ベイ２２は、２つのコネクタハウジング２６と、２つの水平なレース路２８とを有している。しかしながら、コネクタハウジング２６に関連して水平なレース路２８を使用するのが好ましいが、水平なレース路の使用は任意的なものであり、使用者のニーズによっては、コネクタハウジング２６のみを使用してもよく、コネクタハウジング２６を他の設備と関連して使用してもよい。さらに、使用者のニーズによっては、設備ベイ２２に、スプライスハウジング（図示せず）と他の設備を含んでもよい。
【００１０】
コネクタパネル２６ａ（図示の目的のため、ドアが取り外されている）に最も良く示されるように、各コネクタハウジング２６は、コネクタパネル３０を有しており、コネクタパネル３０は、コネクタパネル３０の前側のところの個々のオプティカルファイバ３２を、コネクタパネル３０の後側のところの他のオプティカルファイバ（図示せず）に接続する。コネクタハウジング２６は更に、オプティカルファイバ３２のコネクタハウジング２６の方へのルーチングを容易にするため、コネクタパネルの下方に位置決めされたケーブル管理ブラケット３４を有している。
水平なレース路２８ａ（図示の目的のため、前カバーが取り外されている）に最も良く示されるように、各水平なレース路２８ａは、コネクタハウジング２６の頂部を通るコネクタパネル３０からのオプティカルファイバ３２のルーチングを容易にするため、ケーブル管理ブラケット３６を有している。各コネクタハウジング２６からのオプティカルファイバ３２を、水平なレース路２８とインターベイ保管ユニット２５を介して、分配設備の他のコネクタハウジング２６、又は使用者の設備の他の部分と相互接続するためオプティカルケーブルに接続することができる。
【００１１】
オプティカルファイバの据え付け又は維持の後、過剰な曲げ、過剰な引張りによる損傷、或いは外部環境からの物理的損傷から保護するため、ドア３６（ハウジング２６ｂに最も良く示されている）が、各コネクタハウジング２６の前方ケーブル領域の上で閉められる。同様に、接続されたオプティカルファイバを更に保護するため、保護カバー３８が、水平なレース路２８（水平なレース路２８ｂに最も良く示されている）に付けられる。
次に図２を参照すると、本発明の１つの実施の形態によるオプティカルファイバコネクタハウジング２６の正面斜視図が示されている。オプティカルファイバコネクタハウジング２６は、上側プレート部材４０と、下側プレート部材４２と、コネクタパネル３０と、ドア３６と、ドア３６を閉鎖位置に解放可能に固定するための手段４４とを備えている。上側プレート部材４０と下側プレート部材４２は、略水平であり、互いに間隔を隔てている。プレート部材４０、４２は、支持フレームに取付けるようになっている。図２に示される実施の形態では、上側プレート部材４０と下側プレート部材４２は、プレート部材４０、４２間に連結された側プレート４８に形成された取付け孔４６によって、或いはプレート部材４０、４２に連結されたコネクタパネル３０に形成された取付け孔５０によって、或いは公知の他の取付け手段によって、支持フレーム（図示せず）に取付けられる。上側プレート部材４０と下側プレート部材４２は各々、前縁部５２、５４と、後縁部５６、５８とを有しており、下側プレート部材４２の前縁部５４は、上側プレート部材４０の前縁部５２よりも更に前方に延びている。
【００１２】
コネクタパネル３０は、上側プレート部材４０の前縁部５２から略垂直方向下方に垂下しており、下側プレート部材４２の前縁部５４に対して後方に配置された取付け線６０に沿って、下側プレート部材４２に連結されており、これにより下側プレート部材４２のシェルフ部分６２と後部分６４を構成する。下側プレート部材４２のシェルフ部分６２は、下側プレート部材４２の前縁部５４と取付け線６０との間にあり、下側プレート部材４２の後部分６４は、取付け線６０と下側プレート部材４２の後縁部５８との間にある。
コネクタパネル３０は、前面６６及び後面６８を有し、前面７２及び後面７４を各々有する型式の複数のオプティカルファイバアダプタ７０を取付けるようになっており、アダプタ７０の両側に接続されコネクタ７６で各々終わっている一対のオプティカルファイバ３２を光学的に整列状態に受け入れ取付けるようになっている。このようなオプティカルファイバアダプタ及びコネクタは、周知であり、種々の形体のものが入手できる。
【００１３】
図２に示される実施の形態では、コネクタパネル３０は、３つの二重オプティカルファイバアダプタ７０を各々有する複数のコネクタモジュール７８を取付けるようになっており、かくして各モジュール７８は、６つのオプティカルファイバ接合部を収容する。各コネクタモジュール７８は、コネクタパネル３０の取付け孔８２に挿入される迅速解放ファスナ８０によって、コネクタパネル３０に取付けられている。図２に示される実施の形態では、コネクタパネル３０は、１２のコネクタモジュール７８（従って、全部で７２のオプティカルファイバ接合部）を取付けることができるが、図２では、コネクタパネル３０の後側の接続部を見ることができるように、３つのコネクタモジュールが取り除かれている。
ドア３６は、頂縁部８４、底縁部８６、及び側縁部８８を有している。ドア３６は、底縁部８６のところで、下側プレート部材４２の前縁部５４にヒンジ止めされており、これにより閉鎖位置（３６ａ）と開放位置（３６ｂ、破線で図示されている）との間で移動可能である。図２に示される実施の形態では、ドア３６を下側プレート部材４２に連結するのに、２つのヒンジ９０が使用されている。次に図３を参照すると、閉鎖位置にあるとき、ドア３６は、略垂直に配向されており、コネクタパネル３０から間隔を隔てコネクタパネル３０と略平行に配置され、これにより前方ケーブル領域９２、少なくとも１つの側部孔９４、及び少なくとも１つの頂部孔９６を構成する。前方ケーブル領域９２は、ドア３６、コネクタパネル３０の前面６６、及び下側プレート部材４２のシェルフ部分６２によって境界付けられている。側部孔９４は、ドア３６の側縁部８８とコネクタパネル３０の前面６６との間にあるものとして定義される。頂部孔９６は、ドア３６の頂縁部８４とコネクタパネル３０の前面６６との間にあるものとして定義される。ドアが開放位置（３６ｂ）にあるとき、ドア３６は、垂直に配向されず、コネクタパネル３０と垂直に整合し、これにより前方ケーブル領域９２への非制限接近を可能にする。
【００１４】
閉鎖位置においてドア３６を解放可能に固定するための手段４４も、提供される。図２に示される実施の形態では、固定手段は、コネクタパネル３０から延び、ドア３６に取付けられたラッチ機構１００と解放可能に嵌合しているブラケット９８を備えているが、閉鎖位置においてドア３６を保持するための公知の他の機構を、本発明の範囲から逸脱することなしに、図２に示されるブラケット及びラッチ機構と置換してもよい。これらの他の機構には、他の型式の機械的ラッチ、磁気ラッチ、（ベルクロのような）フック・ループ材料、機械的戻り止めを有するラッチとヒンジが含まれる。さらに、ヒンジ付きドア３６が好ましいが、本発明の別の実施の形態では、垂直に配向させることができ、閉鎖位置においてコネクタパネル３０と垂直に整列させることができる限り、スライディングドア又は完全に取り外し可能なドア又はパネルを使用することもできる。
【００１５】
依然として図２および図３を参照すると、本発明によるオプティカルファイバコネクタハウジング２６を使用することによって、コネクタ７６で各々終結している複数のオプティカルファイバ３２を、コネクタパネル３０のアダプタ７０の後側７４に接続することができる。たとえば、ファイバ３２ａが側部プレート４８を通って接続され、コネクタモジュール７８の中間アダプタに接続され、ファイバ３２ｂが上側プレート部材４０に形成されたスロット１０１を通って接続され、同じコネクタモジュール７８の下側アダプタに接続される。相互接続を行うため、複数のオプティカルファイバ３２は、コネクタパネル３０のアダプタ７０の前側７２に接続され、好ましくは、複数のファイバの第１の部分を少なくとも１つの側部孔９４を介して通し、複数のファイバの第２の部分を少なくとも１つの頂部孔９６を介して通すことによって、前方ケーブル領域９２に通される。たとえば、図２に示される実施の形態では、オプティカルファイバ３２ｃは、中間アダプタの前側７２に接続され、かくしてオプティカルファイバ３２ａと相互接続する。次いで、オプティカルファイバ３２ｃは、頂部孔９６によって、前方ケーブル領域９２から外部に通される。同じようにして、オプティカルファイバ３２ｂは、下側アダプタの前側７２に接続され、かくしてオプティカルファイバ３２ｂと相互接続する。オプティカルファイバ３２ｄは、ケーブル管理ブラケット３４および側部孔９４によって、前方ケーブル領域９２から通される。明瞭にする目的のため、図２は、２つのオプティカルファイバのみが接続され、前方ケーブル領域９２から外部に通されることを示しているが、コネクタパネル３０からのアダプタの列全体を、オプティカルファイバによって送り込むことができ、次いで必要に応じて、据え付け者によって決定されるように側部孔９４と頂部孔９６から外部に前方ケーブル領域９２から通すことができることは明白である。たとえば、再び図１を参照すると、頂部孔９６を通されるオプティカルファイバは、上方に隣接する水平なレース路２８に直接供給され、側部孔９４を通して出るオプティカルファイバは、インターベイ保管ユニット２５に直接通される。本発明によるコネクタハウジング２６は、各方向（即ち、垂直方向と側方）に通されるファイバの密度を減少させるようにオプティカルファイバのルーチングを可能にし、閉鎖されたドア３６は、コネクタ７６、アダプタ７０、及びオプティカルファイバ３２を損傷しないように保護し、オプティカルファイバの最小所要曲げ半径を維持する。
【００１６】
本発明の別の実施の形態では、ドア３６は、開放位置にあるとき、下側プレート部材４２から選択的に取り外し可能である。これは、技術者にとってオプティカルファイバの最初の据え付けを容易にする。何故ならば、ドアが邪魔にならないからである。最初の据え付けが完了すると、コネクタ７６とオプティカルファイバ３２が損傷しないように保護されるように、ドア３６を元に戻すことができる。この実施の形態では、ドア３６を下側プレート４２から選択的に取り外しできるように、公知の取り外し可能なヒンジ機構を使用することができる。
本発明の好ましい実施の形態では、ドア３６は、ドア３６が閉鎖位置にあるとき前方ケーブル領域９２の視覚的な検査を可能にする透明な材料を含んでいる。好ましくは、透明材料は、破壊抵抗を提供し且つ前方ケーブル領域の内容物の検査を可能にする耐衝撃プラスチックであるが、ガラスを使用してもよい。審美的な外観の観点から望ましいとき、或いはオプティカルファイバに使用される光放射から人を保護するため、ドア３６の透明材料は、光の透過に影響を及ぼすように、ボカシを入れたり他の材料で被覆したりしてもよい。
【００１７】
本発明の別の実施の形態では、オプティカルファイバコネクタハウジング２６は更に、後部ケーブル領域１０４を囲むように、ハウジングの後部分に連結された後側プレート部材１０２を備えている。後部ケーブル領域１０４は、上側プレート４０、下側プレート４２の後部分６４、側部部材４８、コネクタパネル３０の後面、及び使用している場合には後側プレート部材１０２によって、境界付けられる。後部ケーブル領域１０４を囲む後側プレート部材１０２の使用は、任意的なものであるが、コネクタパネルの後側のオプティカルファイバを保護するのを助ける。
上述の実施の形態が好ましいが、他の実施の形態が本発明の範囲内に存在することが明白である。次に図４および図５を参照すると、コネクタハウジングの延長シェルフ部分１０８が下側プレート部材の上ではなく上側プレート部材の上にあり、ドア１１０が底部に向かってではなく頂部に向かって開放するように、図２に示される形体を垂直に“逆転”させた図４に示されるような別のコネクタハウジング１０６によって実質的に同じ利益を得ることができる。同様に、図５に示される第２の別のコネクタハウジング１１２は、垂直に配向された延長シェルフ部材１１４を有し、ドア１１６は、図５に示されるように、側部に開放する。図４および図５に示されるようなこれらの別の実施の形体の使用が、本発明から得られるオプティカルファイバのルーチングによる最大の利益を得るため、レース路又は他の設備の再位置決め又は再配向を必要としていることは明白である。
【００１８】
添付図面を参照して本発明の幾つかの実施の形態を説明してきたが、本発明は、上述の実施の形態には限定されず、本発明の範囲と精神から逸脱することなしに、多くの再構成、変形、及び部品や要素の交換をすることができるが、理解されるであろう。
【図面の簡単な説明】
【図１】本発明の１つの実施の形態によるオプティカルファイバコネクタハウジングを有するオプティカルファイバ分配設備の概略正面図である。
【図２】本発明の１つの観点によるオプティカルファイバコネクタハウジングの一部切り取り斜視図である。
【図３】図２と同様な簡略化した斜視図であって、本発明の１つの実施の形態によるコネクタハウジングの側部孔と頂部孔を示したものである。
【図４】本発明によるコネクタハウジングの別の実施の形態を示した、簡略化した斜視図である。
【図５】本発明によるコネクタハウジングの更に別の実施の形態を示した、簡略化した斜視図である。
【符号の説明】
２０  分配センタ
２２  設備スタック又はベイ
２６  オプティカルファイバコネクタハウジング
２８  レース路
３０  コネクタパネル
３４  ケーブル管理ブラケット
３６  ドア
４０  上側プレート部材
４２  下側プレート部材
６０  取付け線
７０  オプティカルファイバアダプタ
７８  コネクタモジュール
【図１】
0003881101.tif 000002
【図２】
0003881101.tif 000003
【図３】
0003881101.tif 000004
【図４】
0003881101.tif 000005
【図５】
0003881101.tif 000006